(57)【要約】【課題】初診時の初期処置時の投薬パターンだけでなく、再診時に行われる処置の投薬パターンの情報をも参照したうえで、適切なデータを抽出して提供すること。【解決手段】コンピュータ１は、入力受付手段２と、抽出手段３と表示手段４とを有している。入力受付手段２は、例えば、医師の受診者に投薬しようとする薬品を特定する情報の入力を受け付ける。抽出手段３は、複数の受診者に対して処方された投薬パターンを格納したデータベース５から、入力受付手段２で入力を受け付けた薬品を含み、かつ、投薬日数が同一受診者の初診時の投薬日数以下である投薬パターンを抽出する。表示手段４は、抽出手段３により抽出された投薬パターンを表示する。【選択図】図１
2010176351.tif 000002
【特許請求の範囲】
【請求項１】
コンピュータを、
薬品の情報の入力を受け付ける入力受付手段、
複数の受診者に対して処方された投薬パターンを格納したデータベースから、前記入力受付手段で入力を受け付けた前記薬品を含み、かつ、投薬日数が同一受診者の初診時の投薬日数以下である前記投薬パターンを抽出する抽出手段、
前記抽出手段により抽出された投薬パターンを表示する表示手段、
として機能させることを特徴とするデータ選択支援プログラム。
【請求項２】
前記抽出手段は、前記データベースから、前記入力受付手段で入力を受け付けた前記薬品を含み、かつ、初診時の前記投薬パターンをさらに抽出することを特徴とする請求項１記載のデータ選択支援プログラム。
【請求項３】
前記コンピュータを、当該コンピュータを利用する利用者の所属診療科の入力を受け付ける診療科入力受付手段として機能させ、
前記投薬パターンは、前記受診者の診療科の情報を有しており、
前記抽出手段は、前記利用者の所属診療科と前記受診者の診療科とが一致しない場合に前記投薬パターンを抽出することを特徴とする請求項１記載のデータ選択支援プログラム。
【請求項４】
前記コンピュータを、さらに、前記表示手段により表示された前記投薬パターンの選択を受け付ける投薬パターン選択受付手段、
前記投薬パターン選択受付手段により受け付けられた前記投薬パターンを新たな投薬パターンとして前記データベースに格納させる格納手段、
として機能させることを特徴とする請求項１記載のデータ選択支援プログラム。
【請求項５】
前記抽出手段は、以前の前記投薬パターンが存在しない同一受診者の前記投薬パターンを初診時の前記投薬パターンであると判断することを特徴とする請求項２記載のデータ選択支援プログラム。
【請求項６】
薬品の情報の入力を受け付ける入力受付部と、
複数の受診者に対して処方された投薬パターンを格納したデータベースから、入力受付手段で入力を受け付けた前記薬品を含み、かつ、投薬日数が同一受診者の初診時の投薬日数以下である前記投薬パターンを抽出する抽出部と、
前記抽出部により抽出された投薬パターンを表示する表示部と、
を有することを特徴とするデータ選択支援装置。
【請求項７】
コンピュータが備える、
入力受付手段が薬品の情報の入力を受け付け、
抽出手段が、複数の受診者に対して処方された投薬パターンを格納したデータベースから、前記入力受付手段で入力を受け付けた前記薬品を含み、かつ、投薬日数が同一受診者の初診時の投薬日数以下である前記投薬パターンを抽出し、
表示手段が、前記抽出手段により抽出された投薬パターンを表示する、
ことを特徴とするデータ選択支援方法。
【発明の詳細な説明】
【技術分野】
【０００１】
本発明はデータ選択支援プログラム、データ選択支援装置およびデータ選択支援方法に関する。
【背景技術】
【０００２】
近年、電子カルテに蓄積された情報を有効活用する方法の１つとして、過去に患者に投薬したパターンを他の患者の投薬時に参考とするナレッジセット（登録商標）機能が知られている。
【０００３】
例えば、処方箋データベースに記憶された過去の処方箋データを、当該患者のＩＤ等を検索キーとして抽出し、抽出された処方箋データを表示する方法が知られている。
また、病名とその病名に対する薬品とを組み合わせた病名薬品情報をデータベースに登録しておき、患者の病名を検索キーとしてデータベースのうち当該病名に対して処方可能な薬品一覧を表示する方法が知られている。
【０００４】
なお、一般的に「患者」とは病人や怪我人のことを指すが、本明細書における説明では、妊産婦や健康診断の受診者などの健常者も含み、電子カルテ装置でのカルテデータ入力対象者を総称して説明の便宜上「患者」というものとする。
【先行技術文献】
【特許文献】
【０００５】
【特許文献１】特開２００４−３１８５２０
【特許文献２】特開２００７−２７２７５１
【発明の概要】
【発明が解決しようとする課題】
【０００６】
救急患者を診察する場合に、担当医師は、専門外の領域の初期処置における投薬を行う必要が生ずることがある。
救急医療においては、様々な症状の患者が存在するから、電子カルテシステムにより過去の投薬パターンを参照して初期投薬の参考にするにあたっては、担当医師自身の所属する科や救急科の過去の投薬パターンだけでなく、すべての科の医師の投薬パターンを参照することが望ましい。
【０００７】
すなわち、救急の基本である初期処置においては、各科に蓄積されている全てのノウハウを参考にすることが好ましいので、科を特定せずに投薬パターンを網羅して参照できるようにすることで、様々な症例の初期処置において的確な対応ができる。
【０００８】
また、救急外来では、初診患者を対象として初期診療や初期治療が行われることが多いため、初診時の投薬に絞り込んだ処方箋データを表示することが好ましい。しかし、初期処置時の投薬のうちには当該患者に対しては薬効が不十分であったものも含まれる。
【０００９】
本発明はこのような点に鑑みてなされたものであり、初診時の初期処置時の投薬パターンだけでなく、再診時に行われる処置の投薬パターンの情報をも参照したうえで、適切なデータを抽出して提供することができるデータ選択支援プログラム、データ選択支援装置およびデータ選択支援方法を提供することを目的とする。
【課題を解決するための手段】
【００１０】
上記目的を達成するために、データ選択支援プログラムが提供される。このデータ選択支援プログラムは、コンピュータを、入力受付手段、抽出手段および表示手段として機能させる。
【００１１】
入力受付手段は、薬品の情報の入力を受け付ける。
抽出手段は、複数の受診者に対して処方された投薬パターンを格納したデータベースから、入力受付手段で入力を受け付けた薬品を含み、かつ、投薬日数が同一受診者の初診時の投薬日数以下である投薬パターンを抽出する。
【００１２】
表示手段は、抽出手段により抽出された投薬パターンを表示する。
このようなデータ選択支援プログラムによれば、入力受付手段により、薬品の情報の入力が受け付けられると、抽出手段により、複数の受診者に対して処方された投薬パターンを格納したデータベースから、入力受付手段で入力を受け付けた薬品を含み、かつ、投薬日数が同一受診者の初診時の投薬日数以下である投薬パターンが抽出される。表示手段により、抽出手段によって抽出された投薬パターンを表示する。
【発明の効果】
【００１３】
開示のデータ選択支援プログラムによれば、信頼性の高い投薬パターンを提供することができる。
【図面の簡単な説明】
【００１４】
【図１】実施の形態のデータ選択支援装置の概要を示す図である。
【図２】実施の形態の電子カルテシステムを示す図である。
【図３】クライアント装置のハードウェア構成例を示す図である。
【図４】サーバ装置の機能を示すブロック図である。
【図５】医師管理テーブルのデータ構造を示す図である。
【図６】患者管理テーブルのデータ構造を示す図である。
【図７】投薬歴管理テーブルのデータ構造を示す図である。
【図８】投薬歴管理テーブルのデータ構造を示す図である。
【図９】クライアント装置の機能を示すブロック図である。
【図１０】アプリケーション実行部の機能を示すブロック図である。
【図１１】投薬オーダ指示画面を示す図である。
【図１２】投薬パターン表示画面の一例を示す図である。
【図１３】電子カルテシステムの全体処理を示すフローチャートである。
【図１４】第１の投薬パターン表示処理を示すフローチャートである。
【図１５】第１の投薬パターン表示処理を示すフローチャートである。
【図１６】第１の投薬パターン表示処理を示すフローチャートである。
【図１７】具体例の投薬パターンベースデータ抽出処理終了時のパターン抽出ベースＤＢに格納されているデータテーブルを示す図である。
【図１８】第２の投薬パターン表示処理を示すフローチャートである。
【図１９】第２の投薬パターン表示処理を示すフローチャートである。
【発明を実施するための形態】
【００１５】
以下、実施の形態を、図面を参照して詳細に説明する。
まず、実施の形態のデータ選択支援装置について説明し、その後、実施の形態をより具体的に説明する。
【００１６】
図１は、実施の形態のデータ選択支援装置の概要を示す図である。
実施の形態のデータ選択支援プログラムは、コンピュータ（データ選択支援装置）１を、入力受付手段２、抽出手段３および表示手段４として機能させる。
【００１７】
入力受付手段２は、例えば、医師の受診者に投薬しようとする薬品を特定する情報の入力を受け付ける。
抽出手段３は、複数の受診者に対して処方された投薬パターンを格納したデータベース５から、入力受付手段２で入力を受け付けた薬品を含み、かつ、投薬日数が同一受診者の初診時の投薬日数以下である投薬パターンを抽出する。
【００１８】
このような抽出処理を行うのは以下の理由による。
初診時の投薬が充分な薬効を示さない場合は、再診時に、初診時とは別の薬品の投薬が行われ、該別の薬品の薬効が見極められるが、該別の薬品の投薬日数は、初期投薬と同一の投薬日数以下に設定されるのが一般的である。一方、患者に最適な投薬が見極められ治療方針が定まった場合には、より長期の投薬が行われることになる。
【００１９】
例えば、ある症状の患者に対し、初診時に薬品Ａを５日間投薬しても薬効を示さない場合、再診時に薬品Ｂが３日間投薬される。この薬品Ｂも薬効を示さない場合には、薬品Bに代えて薬品Ｃを３日間投薬する。そして、この薬品Ｃが薬効を示すことが確認された場合、次の投薬時には該薬品Ｃをより長い期間、例えば１０日間投薬することになる。
【００２０】
このような投薬の履歴があるときに、同様の症状の他の患者に対する投薬候補として薬品Ａだけを提示するのでなく、薬品Ｂ、Ｃをも網羅して提示することができれば、適切な投薬を決定するのに役立つ。
【００２１】
抽出処理は、このような観点から、単に初診時に投薬した薬品だけを投薬候補として決定するのではなく、再診時に投薬された薬品であって初診時に投薬された薬品とは異なる薬品であっても、初診時の投薬日数以下である（つまり薬効の見極めに使用された）投薬パターンであればこれも抽出することにより、投薬パターンの候補を網羅的に抽出しているものである。
【００２２】
なお、抽出手段３は、当該医師の診療科と同じ診療科の投薬パターンについては、投薬日数にかかわらず抽出するのが好ましい。
図１では、当該医師の診療科が救急科であるものとする。従って、診療科が救急科である投薬パターンについては、投薬日数にかかわらず抽出する。
【００２３】
図１に示すデータベース５には、受診者Ａ、受診者Ｂおよび受診者Ｃに対して処方された投薬パターンが格納されている。
受診者Ａは、救急科にて初診を行い、薬品Ａおよび薬品Ｂが３日分処方されている。その後、救急科にて再診を行い、薬品Ａおよび薬品Ｃが６日分（初診時の投薬日数より多い日数分）処方されている。
【００２４】
受診者Ｂは、内科にて初診を行い、薬品Ａおよび薬品Ｄが３日分処方されている。その後、内科にて再診を行い、薬品Ａおよび薬品Ｅが３日分（初診時の投薬日数以下の日数分）処方されている。
【００２５】
受診者Ｃは、内科にて初診を行い、薬品Ａおよび薬品Ｆが３日分処方されている。その後、内科にて再診を行い、薬品Ａおよび薬品Ｇが７日分（初診時の投薬日数より多い日数分）処方されている。
【００２６】
抽出手段３は、受診者Ａの薬品Ａおよび薬品Ｂを含む投薬パターンは、救急科であるため抽出する。また、受診者Ａの薬品Ａおよび薬品Ｃを含む投薬パターンも、救急科であるため抽出する。
【００２７】
次に、受診者Ｂの薬品Ａおよび薬品Ｄを含む投薬パターンは、初診であるため抽出する。また、受診者Ｂの薬品Ａおよび薬品Ｅを含む投薬パターンも、再診であるが、投薬日数が、初診時の投薬日数以下の日数分であるため抽出する。
【００２８】
次に、受診者Ｃの薬品Ａおよび薬品Ｆを含む投薬パターンは、初診であるため抽出する。しかし、受診者Ｃの薬品Ａおよび薬品Ｇを含む投薬パターンは、再診であり、投薬日数が、初診時の投薬日数より多い日数分であるため抽出しない。
【００２９】
表示手段４は、抽出手段３により抽出された投薬パターンを表示する。
このようなコンピュータ１によれば、初診時に投薬した初期対処投薬が効果を示さず、再診時に投薬パターンを変えて初期投薬を行った投薬パターンをも抽出し、表示することができる。これにより、例えば過去に処方した経験のない薬品を初診時に処方する医師に対しても、信頼性の高い投薬パターンを提供することができる。
【００３０】
以下、実施の形態をより具体的に説明する。
図２は、実施の形態の電子カルテシステムを示す図である。
電子カルテシステム１００は、サーバ装置１０、３０、４０と、複数の（図２では２台の）クライアント装置２０、２０、・・・とを有している。
【００３１】
サーバ装置１０は、各診療科の電子カルテを管理するサーバである。
サーバ装置１０は、患者毎の投薬（処方）パターンや、患者および医師を識別するデータ等を格納し、必要に応じてそのデータを各クライアント装置２０に送る。また、これらのデータをサーバ装置３０、４０と共有する。
【００３２】
各クライアント装置２０は、それぞれ、医師が、処方箋を作成したり、患者への病状を説明したりする際に使用する電子カルテアプリケーションを備えている。電子カルテアプリケーションは、医師の操作に応じて付属のモニタに電子カルテや、そのカルテ作成をサポートするために当該医師や他の医師が過去に処方した投薬パターンを表示させる。その際、診療科が救急科か否か、初診か再診か、再診時の投薬日数が初診の投薬日数以下か等を考慮し、より信頼性の高い投薬パターンを表示させる。
【００３３】
サーバ装置３０およびサーバ装置４０は、他部門（例えば、調剤部門や会計部門等）の情報を管理するサーバである。
例えば、薬剤師は、端末装置（図示せず）からサーバ装置３０にアクセスすることで、医師により作成された処方箋を参照し、調剤することができる。また、会計担当者は、端末装置（図示せず）からサーバ装置４０にアクセスすることで、医師により作成された処方箋を参照し、会計金額を算出することができる。
【００３４】
図３は、クライアント装置のハードウェア構成例を示す図である。
クライアント装置２０は、ＣＰＵ（Central Processing Unit）２０１によって装置全体が制御されている。ＣＰＵ２０１には、バス２０８を介してＲＡＭ（Random Access Memory）２０２、ハードディスクドライブ（ＨＤＤ:Hard Disk Drive）２０３、グラフィック処理装置２０４、入力インタフェース２０５、外部補助記憶装置２０６および通信インタフェース２０７が接続されている。
【００３５】
ＲＡＭ２０２には、ＣＰＵ２０１に実行させるＯＳ（Operating System）のプログラムやアプリケーションプログラムの少なくとも一部が一時的に格納される。また、ＲＡＭ２０２には、ＣＰＵ２０１による処理に必要な各種データが格納される。ＨＤＤ２０３には、ＯＳやアプリケーションプログラムが格納される。また、ＨＤＤ２０３内には、プログラムファイルが格納される。
【００３６】
グラフィック処理装置２０４には、モニタ２０４ａが接続されている。グラフィック処理装置２０４は、ＣＰＵ２０１からの命令に従って、画像をモニタ２０４ａの画面に表示させる。入力インタフェース２０５には、キーボード２０５ａとマウス２０５ｂとが接続されている。入力インタフェース２０５は、キーボード２０５ａやマウス２０５ｂから送られてくる信号を、バス２０８を介してＣＰＵ２０１に送信する。
【００３７】
外部補助記憶装置２０６は、記録媒体に書き込まれた情報を読み取ったり、記録媒体に情報を書き込んだりする。外部補助記憶装置２０６で読み書きが可能な記録媒体としては、例えば、磁気記録装置、光ディスク、光磁気記録媒体、半導体メモリ等が挙げられる。磁気記録装置としては、例えば、ＨＤＤ、フレキシブルディスク（ＦＤ）、磁気テープ等が挙げられる。光ディスクとしては、例えば、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）等が挙げられる。光磁気記録媒体としては、例えば、ＭＯ（Magneto-Optical disk）等が挙げられる。
【００３８】
通信インタフェース２０７は、ネットワーク７０に接続されている。通信インタフェース２０７は、ネットワーク７０を介して、他のコンピュータとの間でデータの送受信を行う。
【００３９】
以上のようなハードウェア構成によって、本実施の形態の処理機能を実現することができる。なお、図３にはクライアント装置２０のハードウェア構成を示したがサーバ装置１０、３０、４０についても同様のハードウェア構成で実現することができる。このようなハードウェア構成の電子カルテシステム１００においてサーバ装置１０および各クライアント装置２０内には、以下のような機能が設けられる。
【００４０】
＜サーバ装置＞
図４は、サーバ装置の機能を示すブロック図である。
サーバ装置１０は、データ送受信部１１と、制御部１２と、電子カルテ処理用データ格納部１３とを有している。
【００４１】
データ送受信部１１は、各クライアント装置２０との間でデータの送受信を行う機能を有している。
制御部１２は、各クライアント装置２０が電子カルテアプリケーションにログインする際の認証機能を有している。
【００４２】
具体的には、各クライアント装置２０からのユーザ認証要求に応じて認証を行い、認証後、各クライアント装置２０からのデータ送信要求に応じて電子カルテ処理用データ格納部１３に格納されているデータをクライアント装置２０に送信する。
【００４３】
また、クライアント装置２０からのデータ更新要求に応じて電子カルテ処理用データ格納部１３に格納されているデータを更新する。
電子カルテ処理用データ格納部１３は、各クライアント装置２０の電子カルテアプリケーションの実行時に使用するデータを格納している。具体的には、医師ＤＢ１３１と、患者ＤＢ１３２と、投薬歴（投薬履歴）ＤＢ１３３と、薬品マスタ１３４と、電子カルテＤＢ１３５とを有している。
【００４４】
医師ＤＢ１３１には、医師の基本情報（例えば、氏名、所属科、職能等）が、予め定められたフォーマットで格納されている。
患者ＤＢ１３２には、患者の基本情報が格納されている。
【００４５】
投薬歴ＤＢ１３３には、過去に患者に投薬した薬品の情報（投薬パターン）が、投薬指示をした医師や、投薬日数等と関連づけられて格納されている。
薬品マスタ１３４には、薬品の一般的な情報が格納されている。
【００４６】
電子カルテＤＢ１３５には、患者毎の電子カルテが、予め定められたフォーマットで格納されている。
以下、各ＤＢのデータ構造について説明する。
【００４７】
＜医師ＤＢ＞
医師ＤＢ１３１ではデータがテーブル化されて格納されている。
図５は、医師管理テーブルのデータ構造を示す図である。
【００４８】
医師管理テーブル１３１ａには、医師コード、医師名称、医師免許取得日、所属科コード、および所属科の欄が設けられており、各欄の横方向に並べられた情報同士が互いに関連づけられている。
【００４９】
医師コードの欄には、医師名称の欄に格納された医師（当該医師）を識別する番号が格納されている。
医師名称の欄には、当該医師の氏名が格納されている。
【００５０】
医師免許取得日の欄には、当該医師の医師免許取得日が格納されている。
所属科コードの欄には、当該医師の所属する科を識別するコードが格納されている。
所属科の欄には、当該医師の所属する科の名称が格納されている。
【００５１】
＜患者ＤＢ＞
患者ＤＢ１３２ではデータがテーブル化されて格納されている。
図６は、患者管理テーブルのデータ構造を示す図である。
【００５２】
患者管理テーブル１３２ａには、患者ＩＤ、患者名、性別、生年月日の欄が設けられており、各欄の横方向に並べられた情報同士が互いに関連づけられている。
患者ＩＤの欄には、患者を識別する番号（ＩＤ）が格納されている。
【００５３】
患者名の欄には、患者の氏名が格納されている。
性別の欄には、患者の性別が格納されている。
生年月日の欄には、患者名の欄に格納されている患者の生年月日が格納されている。
【００５４】
＜投薬歴ＤＢ＞
投薬歴ＤＢ１３３ではデータがテーブル化されて格納されている。
図７および図８は、投薬歴管理テーブルのデータ構造を示す図である。なお、図７および図８は、１つのテーブルを構成している。
【００５５】
投薬歴管理テーブル１３３ａには、患者ＩＤ、患者名、診療区分、診療科コード、診療科名称、医師コード、医師名称、投薬開始日、オーダ番号、項目属性、項目属性名称、項目コード、項目名称、項目数量および項目単位名称の欄が設けられており、各欄の横方向に並べられた情報同士が互いに関連づけられている。
【００５６】
患者ＩＤの欄には、患者を識別する番号（ＩＤ）が格納されている。
患者名の欄には、患者の氏名が格納されている。
診療区分の欄には、初診または再診を識別する情報が格納されている。
【００５７】
診療科コードの欄には、診療科名称の欄に格納された診療科を識別する番号が格納されている。
診療科名称の欄には、医師名称の欄に格納された医師が所属する診療科が格納されている。
【００５８】
医師コードの欄には、医師名称の欄に格納された医師を識別する番号が格納されている。
医師名称の欄には、患者名の欄に格納された患者に対する薬品を処方した医師名が格納されている。
【００５９】
投薬開始日の欄には、投薬オーダを発行した日付が格納されている。
オーダ番号の欄には、投薬オーダ毎に設けられた固有の識別番号が格納されている。同じオーダ番号が付されているオーダ情報（投薬歴管理テーブル１３３ａの一列分の情報）は、１つのオーダの単位（投薬パターン）（投薬する薬品の組み合わせおよび内服用法を備えるパターン）を構成していることを意味する。なお、本実施の形態では、オーダ番号の数が大きいオーダ情報ほど、オーダ日が新しい。
【００６０】
項目属性の欄には、オーダ情報の属性を示す識別子が格納されている。「Ｄ」は、オーダ情報の属性が薬品であることを示し、「Ｙ」は、オーダ情報の属性が用法であることを示している。
【００６１】
項目属性名称の欄には、項目名称の欄が薬品名である場合は「薬品」が格納され、用法である場合は「用法」が記載されている。
項目コードの欄には、項目属性が「Ｄ」の項目については、先頭に「Ｄ」が付された薬品名を識別する識別番号が格納されている。項目属性が「Ｙ」の項目については、先頭に「Ｙ」が付された内服用法毎のパターンを識別する識別番号が格納されている。
【００６２】
項目名称の欄には、項目属性が「Ｄ」の項目については、具体的な投薬オーダの薬品名とその量が格納されている。項目属性が「Ｙ」の項目については、内服用法が格納されている。
【００６３】
項目数量の欄には、項目属性が「Ｄ」の項目については、１日あたりの内服数量が格納されており、項目属性が「Ｙ」の項目については、投薬日数を示す日にちが格納されている。
【００６４】
項目単位名称の欄には、項目属性が「Ｄ」の項目については、項目名称の薬品名に応じて「包」または「錠」が格納されており、項目属性が「Ｙ」の項目については、「日」が格納されている。
【００６５】
次に、クライアント装置の機能を説明する。
図９は、クライアント装置の機能を示すブロック図である。
クライアント装置２０は、入力受付部２１と、インタフェース部２２と、アプリケーション格納部２３と、アプリケーション実行部２４とを有している。
【００６６】
入力受付部２１は、患者に対して投薬しようとする薬品の情報の入力等、医師のキーボード２０５ａやマウス２０５ｂ等による入力操作（以下、単に「医師の操作」と言う）を受け付ける。
【００６７】
インタフェース部２２は、サーバ装置１０とのデータのやりとりを行うインタフェースである。なお、図９では、データ送受信部１１および制御部１２の図示を省略している。
アプリケーション格納部２３は、電子カルテアプリケーションを格納している。
【００６８】
アプリケーション実行部２４は、入力受付部２１が受け付けた医師の操作による、電子カルテアプリケーションの起動要求に応じてアプリケーション格納部２３に格納されている電子カルテアプリケーションを呼び出し、電子カルテアプリケーションのログイン画面をモニタ２０４ａに表示させる。
【００６９】
医師の操作により、医師の医師コードと、固有のパスワード等が入力され、ログインボタン（図示せず）が選択（押下）されることにより、アプリケーション実行部２４は、認証処理を行う。
【００７０】
具体的には、アプリケーション実行部２４が、ログイン名およびパスワードとともに認証要求を、インタフェース部２２を介してサーバ装置１０に送信する。サーバ装置１０の制御部１２によって認証されれば、電子カルテアプリケーションにログインすることができる。
【００７１】
電子カルテアプリケーションにログインすると、アプリケーション実行部２４は、モニタ２０４ａに電子カルテを管理するための各種ツールを表示する。
医師の操作により、投薬指示ツールが選択されると、アプリケーション実行部２４は、投薬指示ツールを起動する。
【００７２】
そして、医師の操作により、投薬パターン表示ツールが選択されると、アプリケーション実行部２４は、後述する投薬オーダ指示画面をモニタ２０４ａに表示する。
投薬オーダ指示画面における医師の操作により、アプリケーション実行部２４は、投薬パターン表示処理を行う。
【００７３】
この処理により、アプリケーション実行部２４は、投薬歴管理テーブル１３３ａに格納されている投薬オーダの中から、今回選択した薬品を含む投薬パターンを一覧表示した投薬パターン表示画面をモニタ２０４ａに表示する。
【００７４】
図１０は、アプリケーション実行部の機能を示すブロック図である。
アプリケーション実行部２４は、投薬パターン抽出部２４１と、パターン抽出ベースＤＢ２４２と、投薬パターン圧縮処理部２４３と、投薬パターン表示処理部２４４と、データ送信部２４５とを有している。
【００７５】
投薬パターン抽出部２４１は、投薬歴管理テーブル１３３ａから今回選択した薬品を含む投薬パターンを１件ずつ読み込む。そして後述する処理により、投薬パターン表示画面に表示する投薬パターンを抽出する。
【００７６】
パターン抽出ベースＤＢ２４２は、投薬パターン抽出部２４１によって抽出された投薬パターンを一時保管する領域を有している。
投薬パターン圧縮処理部２４３は、投薬パターン抽出部２４１の抽出が終了した後に、パターン抽出ベースＤＢ２４２に記憶された投薬パターンのうち、重複するパターンをまとめる。
【００７７】
投薬パターン表示処理部２４４は、投薬パターン圧縮処理部２４３によりまとめられた投薬パターンを備える投薬パターン表示画面を作成し、モニタ２０４ａに表示する。
データ送信部２４５は、電子カルテを閉じる際に、当該患者の電子カルテをサーバ装置１０に送信する。
【００７８】
これにより、サーバ装置１０は、受信した電子カルテの処方箋の欄に記載されている投薬パターンを、投薬オーダとしてサーバ装置３０、４０に送信する。また、投薬歴管理テーブル１３３ａの内容を更新する。
【００７９】
次に、投薬オーダ指示画面について説明する。
図１１は、投薬オーダ指示画面を示す図である。
投薬オーダ指示画面６０には、患者ＩＤ表示部６１と、患者氏名表示部６２と、投薬オーダ伝票選択部６３と、終了ボタン６４と、検索部６５とが表示されている。
【００８０】
患者ＩＤ表示部６１には、患者管理テーブル１３２ａから取得した患者ＩＤが表示される。
患者氏名表示部６２には、患者管理テーブル１３２ａから取得した患者名が表示される。
【００８１】
投薬オーダ伝票選択部６３には、院内処方と院外処方とを選択するボタン６３１と薬品を処方する日付を表示する処方日表示部６３２と診療科を表示する診療科表示部６３３とが設けられている。なお、処方日表示部６３２には、薬品を処方する日付が、クライアント装置２０が備えるタイマから呼び出されて表示される。また、診療科表示部６３３には、医師によって選択された診療科（図１１では救急科）が、呼び出されて表示される。
【００８２】
終了ボタン６４が選択されると、アプリケーション実行部２４は、投薬オーダ指示画面６０の表示を終了する。
検索部６５には、薬剤を検索する薬剤タブ６５１と、用法を検索する用法タブ６５２と、コメントを検索するコメントタブ６５３と煎じ薬を検索する煎じ薬タブ６５４とが設けられている。
【００８３】
図１１では、医師の操作により、薬剤タブ６５１が選択されている。
薬剤タブ６５１が選択されると薬剤検索部６５ａが表示される。
薬剤検索部６５ａには、薬品を検索する薬品検索タブ６５１ａと、薬効を検索する薬効検索タブ６５１ｂと、頻用薬（使用頻度の高い薬）を検索する頻用薬検索タブ６５１ｃとが設けられている。
【００８４】
医師の操作により、薬品検索タブ６５１ａが選択されると、薬品検索画面６５１ｄが表示される。
なお、他の選択タブが選択されたときも同様の画面が表示される。
【００８５】
薬品検索画面６５１ｄには、薬品名入力部６５１ｅと、検索ボタン６５１ｆと、検索結果表示部６５１ｇとが表示される。
薬品名入力部６５１ｅは、検索する薬品名の一部または全部の入力を受け付ける。
【００８６】
医師の操作により検索ボタン６５１ｆが選択されると、アプリケーション実行部２４は、薬品名入力部６５１ｅに入力された内容で、薬品マスタ１３４の検索を行う。
検索結果表示部６５１ｇは、医師の操作により検索ボタン６５１ｆが選択されたときに、薬品名入力部６５１ｅに入力された薬品名と少なくとも一部が一致した薬品名およびその分量を含む検索薬品一覧を表示する。
【００８７】
図１１では、医師の操作により薬品名入力部６５１ｅに薬品名「マーズレン」の一部である「マーズ」が入力されている。検索ボタン６５１ｆが選択された結果、検索結果表示部６５１ｇに「マーズレンＳ顆粒０．５ｇ包」が表示されている。
【００８８】
そして、医師の操作により検索薬品一覧の検索薬品が表示されている部位（図１１では「マーズレンＳ顆粒０．５ｇ包」が表示されている部位）に、カーソルが当てられると、投薬パターン表示処理が行われ、投薬パターン表示画面６５１ｈが表示される。
【００８９】
図１２は、投薬パターン表示画面の一例を示す図である。
投薬パターン表示画面６５１ｈには、カーソルが当てられた薬品名を含む（図１１では「マーズレンＳ顆粒０．５ｇ包」を含む）、投薬歴管理テーブル１３３ａの投薬パターンから他科（救急科以外の科）を含む全ての科における初診時の投薬パターン並びに再診時の初期対処投薬パターンが表示される。
【００９０】
次に、電子カルテシステムの処理を説明する。
図１３は、電子カルテシステムの全体処理を示すフローチャートである。
まず、アプリケーション実行部２４が、医師の操作に応じて電子カルテアプリケーションを呼び出す。また、アプリケーション実行部２４が、医師の操作によるログイン名およびパスワードの入力およびログインボタンの選択に応じて、医師管理テーブル１３１ａを参照し、認証処理を行う（ステップＳ１）。
【００９１】
ログイン後、アプリケーション実行部２４が、医師の操作による患者およびその患者の診療科の指定に応じて、電子カルテＤＢ１３５に格納されている当該患者の電子カルテを取得して開く（ステップＳ２）。また、患者管理テーブル１３２ａに格納されている当該患者の情報を取得する。
【００９２】
その後、医師の操作により、投薬指示ツールが選択されると、アプリケーション実行部２４は、投薬指示ツールを起動する（ステップＳ３）。
次に、医師の操作により、投薬指示ツール内の投薬オーダメニューが選択されると、アプリケーション実行部２４が、投薬オーダ指示画面６０を起動させる（ステップＳ４）。
【００９３】
次に、医師の操作により、投薬オーダ指示画面６０内の薬剤タブ６５１が選択されると、薬剤検索部６５ａが起動する（ステップＳ５）。
次に、医師の操作により、薬品検索タブ６５１ａ、薬効検索タブ６５１ｂ、頻用薬検索タブ６５１ｃのいずれかが選択されると、アプリケーション実行部２４が、投薬パターン表示処理を行う（ステップＳ６）。
【００９４】
医師の操作により、終了ボタン６４が選択されると、アプリケーション実行部２４が、投薬オーダ指示画面６０の表示を終了する。また、医師の操作により、投薬指示ツールの終了が選択されると、投薬指示ツールを終了する（ステップＳ７）。
【００９５】
医師の操作により、電子カルテを閉じる旨が選択されると、アプリケーション実行部２４が患者の電子カルテを閉じる（ステップＳ８）。
その後、データ送信部２４５が、当該患者の電子カルテをサーバ装置１０に送信する。これにより、投薬歴管理テーブル１３３ａの内容が更新される。
【００９６】
医師の操作により、電子カルテアプリケーションからのログアウトが選択されると、アプリケーション実行部２４が、電子カルテアプリケーションからログアウトする（ステップＳ９）。これにより、処理を終了する。
【００９７】
次に、投薬パターン表示処理を説明する。
＜第１の投薬パターン表示処理＞
図１４〜図１６は、第１の投薬パターン表示処理を示すフローチャートである。
【００９８】
まず、投薬パターン抽出部２４１が、投薬パターンを検索する薬品名の入力を受け付ける（ステップＳ１１）。
次に、投薬パターン抽出部２４１が、患者の診療科が救急科（医師によって選択された診療科）か否かを判断する（ステップＳ１２）。
【００９９】
患者の診療科が救急科ではない場合（ステップＳ１２のＮｏ）、後述するステップＳ２５に移行する。
一方、患者の診療科が救急科である場合（ステップＳ１２のＹｅｓ）、投薬パターン抽出部２４１が、投薬歴管理テーブル１３３ａを検索するためのキーワード（検索キー）として救急科と検索薬品名とをセットする。そして、セットした検索薬品名をキーにして投薬歴管理テーブル１３３ａを検索する（ステップＳ１３）。
【０１００】
次に、投薬パターン抽出部２４１が、該当する投薬パターンが存在するか否かを判断する（ステップＳ１４）。
該当する投薬パターンが存在する場合（ステップＳ１４のＹｅｓ）、その投薬パターンをパターン抽出ベースＤＢ２４２に格納する（ステップＳ１５）。その後、ステップＳ１３に移行し、ステップＳ１３以降の処理を繰り返し行う。
【０１０１】
なお、２回目以降のステップＳ１３における検索では、一度検索で該当した投薬パターンは無視する。
一方、該当する投薬パターンが存在しない場合、すなわち、投薬歴管理テーブル１３３ａ内の全ての投薬パターンの検索が終了した場合（ステップＳ１４のＮｏ）、投薬歴管理テーブル１３３ａの検索キーに患者診療科以外の科をセットする。そして、セットした検索薬品名をキーにして投薬歴管理テーブル１３３ａを検索する（図１５のステップＳ１６）。
【０１０２】
次に、投薬パターン抽出部２４１が、該当する投薬パターンが存在するか否かを判断する（ステップＳ１７）。
該当する投薬パターンが存在しない場合（ステップＳ１７のＮｏ）、後述するステップＳ２６に移行する。
【０１０３】
一方、該当する投薬パターンが存在する場合（ステップＳ１７のＹｅｓ）、その投薬パターンの診療区分が初診であるか否かを判断する（ステップＳ１８）。
その投薬パターンの診療区分が初診である場合（ステップＳ１８のＹｅｓ）、その投薬パターンをパターン抽出ベースＤＢ２４２に格納する（ステップＳ１９）。その後、ステップＳ１６に移行し、ステップＳ１６以降の処理を繰り返し行う。
【０１０４】
一方、その投薬パターンの診療区分が初診ではない場合（ステップＳ１８のＹｅｓ）、投薬歴管理テーブル１３３ａを参照し、当該患者の同一科における初診時の投薬パターンを検索する（ステップＳ２０）。
【０１０５】
次に、投薬パターン抽出部２４１が、該当する投薬パターンが存在するか否かを判断する（ステップＳ２１）。
該当する投薬パターンが存在しない場合（ステップＳ２１のＮｏ）、ステップＳ１６に移行し、ステップＳ１６以降の処理を繰り返し行う。
【０１０６】
一方、該当する投薬パターンが存在する場合（ステップＳ２１のＹｅｓ）、該当する投薬パターンの投薬日数と、該当する投薬パターンの患者における初診時の投薬パターンの投薬日数とを比較する（ステップＳ２２）。
【０１０７】
次に、ステップＳ２１にて該当する投薬パターンの投薬日数が、初診時の投薬パターンの投薬日数以下か否かを判断する（ステップＳ２３）。
該当する投薬パターンの投薬日数が、初診時の投薬パターンの投薬日数以下ではない場合（ステップＳ２３のＮｏ）、ステップＳ１６に移行し、ステップＳ１６以降の処理を繰り返し行う。
【０１０８】
該当する投薬パターンの投薬日数が、初診時の投薬パターンの投薬日数以下である場合（ステップＳ２３のＹｅｓ）、その投薬パターンをパターン抽出ベースＤＢ２４２に格納する（ステップＳ２４）。その後、ステップＳ１６に移行し、ステップＳ１６以降の処理を繰り返し行う。
【０１０９】
なお、２回目以降のステップＳ１６における検索では、一度検索で該当した投薬パターンは無視し、全投薬パターンを一通り検索した場合に繰り返し処理を終了する（ステップＳ１７のＮｏ）。
【０１１０】
ステップＳ１２において、患者の診療科が救急科ではない場合（ステップＳ１２のＮｏ）、救急科以外の科別投薬パターン表示処理を行う（図１６のステップＳ２５）。
この処理では、例えば、患者の診療科が内科であれば、投薬歴管理テーブル１３３ａの検索キーに内科をセットする。そして、セットした検索薬品名をキーにして投薬歴管理テーブル１３３ａを検索する。
【０１１１】
次に、投薬パターン抽出部２４１が、該当する投薬パターンが存在するか否かを判断する。該当する投薬パターンが存在する場合、その投薬パターンをパターン抽出ベースＤＢ２４２に格納する。
【０１１２】
次に、投薬パターン圧縮処理部２４３が、パターン抽出ベースＤＢ２４２を参照し、同一の投薬パターンをまとめる（ステップＳ２６）。
次に、投薬パターン表示処理部２４４が、投薬パターン表示画面６５１ｈをモニタ２０４ａに表示する（ステップＳ２７）。
【０１１３】
次に、医師による投薬パターンの選択を受け付けたか否かを判断する（ステップＳ２８）。
投薬パターンの選択を受け付けた場合（ステップＳ２８のＹｅｓ）、受け付けた投薬パターンを当該患者の電子カルテの処方箋の欄に反映する（ステップＳ２９）。その後、処理を終了する。
【０１１４】
一方、投薬パターンの選択がなかった場合（ステップＳ２８のＮｏ）、処理を終了する。
＜具体例＞
次に、前述した各テーブルを用いて投薬パターン表示処理の具体例を説明する。
【０１１５】
以下、第１の具体例では、医師が、救急科の患者を診察し、「マーズレンＳ顆粒０．５ｇ包」を検索するときの具体例を説明する。
まず、投薬パターン抽出部２４１が、医師による薬品名「マーズレンＳ顆粒０．５ｇ包」の入力を受け付ける。
【０１１６】
次に、投薬パターン抽出部２４１が、医師により入力された患者の診療科「救急科」を取得する。
診療科「救急科」を取得したため、投薬パターン抽出部２４１が、投薬歴管理テーブル１３３ａを検索し、「マーズレンＳ顆粒０．５ｇ包」を含む投薬パターンを読み込む。本具体例では、まず、オーダ番号「００００００６０」（「特許花子」）の投薬パターンを読み込む。
【０１１７】
次に、投薬パターン抽出部２４１が、「特許花子」の当該投薬パターンの診療科が救急科であるか否かを判断する。本具体例では救急科であるため、投薬パターン抽出部２４１が、この投薬パターンをパターン抽出ベースＤＢ２４２に格納する。
【０１１８】
次に、投薬パターン抽出部２４１が、投薬歴管理テーブル１３３ａを検索し、次の「マーズレンＳ顆粒０．５ｇ包」を含む投薬パターン、すなわち、オーダ番号「００００００７０」（「特許次郎」）の投薬パターンを読み込む。
【０１１９】
次に、投薬パターン抽出部２４１が、「特許次郎」の当該投薬パターンの診療科が救急科であるか否かを判断する。本具体例では救急科であるため、投薬パターン抽出部２４１が、この投薬パターンをパターン抽出ベースＤＢ２４２に格納する。
【０１２０】
なお、これ以降の投薬パターンは、診療科名称が救急科ではないため、検索にはヒットしない。
次に、投薬パターン抽出部２４１が、投薬歴管理テーブル１３３ａを検索し、救急科以外の科において「マーズレンＳ顆粒０．５ｇ包」を含む投薬パターンを読み込む。
【０１２１】
本具体例では、まず、オーダ番号「０００００１００」（「特許五郎」）の投薬パターンを読み込む。
次に、当該投薬パターンの診療区分は初診であるか否かを判断する。本具体例では、診療区分が初診ではないため、同一科（内科）の直近の診察時の投薬パターンを検索する。
【０１２２】
すると、オーダ番号「００００００８８」の投薬パターンが見つかる。
次に、オーダ番号「０００００１００」の投薬パターンの投薬日数とオーダ番号「０００００８８」の投薬パターンの投薬日数とを比較する。
【０１２３】
オーダ番号「０００００１００」の投薬パターンの投薬日数は、オーダ番号「０００００８８」の投薬パターンの投薬日数以下であるため、投薬パターン抽出部２４１が、この投薬パターンをパターン抽出ベースＤＢ２４２に格納する。
【０１２４】
次に、オーダ番号「０００００１１０」（「特許拓哉」）の投薬パターンを読み込む。
次に、当該投薬パターンの診療区分は初診であるか否かを判断する。本具体例では、診療区分が初診であるため、投薬パターン抽出部２４１が、この投薬パターンをパターン抽出ベースＤＢ２４２に格納する。
【０１２５】
なお、オーダ番号「０００００２２０」（「特許三郎」）の投薬パターンおよびオーダ番号「０００００３４３」（「特許佳子」）の投薬パターンは項目名称にマーズレンが含まれていないため、検索にはヒットしない。
【０１２６】
次に、オーダ番号「０００００３６２」（「特許佳子」）の投薬パターンを読み込む。
次に、当該投薬パターンの診療区分は初診であるか否かを判断する。本具体例では、診療区分が初診ではないため、同一科（内科）の直近の診察時の投薬パターンを検索する。
【０１２７】
すると、オーダ番号「０００００３４３」の投薬パターンが見つかる。
次に、オーダ番号「０００００３６２」の投薬パターンの投薬日数とオーダ番号「００００３４３」の投薬パターンの投薬日数とを比較する。
【０１２８】
オーダ番号「０００００３６２」の投薬パターンの投薬日数は、オーダ番号「００００３４３」の投薬パターンの投薬日数以下ではないため、この投薬パターンは、パターン抽出ベースＤＢ２４２には格納しない。
【０１２９】
以上で投薬パターンベースデータ抽出処理を終了する。
図１７は、具体例の投薬パターンベースデータ抽出処理終了時のパターン抽出ベースＤＢに格納されているデータテーブルを示す図である。
【０１３０】
次に、投薬パターン圧縮処理部２４３が、データテーブル２４２ａに格納されている投薬パターンのうち、同一の投薬パターンをまとめる。
本具体例では、オーダ番号「００００００７０」の投薬パターンとオーダ番号「０００００１００」の投薬パターンは、いずれも項目名称の欄が「マーズレンＳ顆粒０．５ｇ包」、「ロキソニン錠６０ｍｇ」、「内服  １日３回  朝昼夕  食前」であるため、オーダ日が新しいオーダ番号「０００００１００」の投薬パターンにまとめる。
【０１３１】
それ以外の同一の投薬パターンは存在しない。従って、投薬パターン表示処理部２４４が、オーダ番号「００００００６０」、「０００００１００」および「０００００１１０」の投薬パターンが表示された投薬パターン表示画面６５１ｈを、モニタ２０４ａに表示する。これにより、図１２に示す投薬パターン表示画面６５１ｈが表示される。
【０１３２】
その後、投薬パターン表示画面６５１ｈに表示される投薬パターンが、医師により選択されると、選択された投薬パターンを当該患者の電子カルテの処方箋の欄に反映する。
以上述べたように、電子カルテシステム１００によれば、救急科選択時に、投薬パターン抽出部２４１が、全ての科を対象とする投薬パターンを検索し、条件に該当する投薬パターンを抽出するようにした。これにより、専門医が処方した、より信頼性の高い投薬パターンを抽出することができる。
【０１３３】
また、投薬パターン抽出部２４１が、初診時の投薬パターンを抽出するようにした。救急外来では、初診患者を対象とした治療を行う場合が多い。従って、初診時に処方された投薬パターンを抽出することにより、より信頼性の高い投薬パターンを得ることができる。
【０１３４】
また、投薬パターン抽出部２４１が、初診時投薬の投薬日数を基準に、再診時においても初診時の投薬パターンと同等のものであるとみなされる投薬パターンを抽出するようにした。これにより、初診時に投薬した初期対処投薬が効果を示さず、再診時に薬を変えた初期投薬の投薬パターンをも抽出することができる。従って、より信頼性の高い投薬パターンを得ることができる。
【０１３５】
＜第２の投薬パターン表示処理＞
次に、第２の投薬パターン表示処理を説明する。
以下、第１の投薬パターン表示処理と異なる部分を中心に説明し、同様の部分については説明を省略する。
【０１３６】
図１８および図１９は、第２の投薬パターン表示処理を示すフローチャートである。
第２の投薬パターン表示処理は、ステップＳ１８において診療区分が初診ではない場合（図１８のステップＳ１８のＮｏ）、当該投薬パターンの投薬日数を、当該処理で用いる比較基準投薬日数にセットする（図１９のステップＳ２０ａ）。
【０１３７】
次に、投薬歴管理テーブル１３３ａを参照し、比較基準投薬日数にセットした投薬日数の投薬パターンを基準としたときの、当該患者の同一科における１つ前の投薬パターンを検索する（ステップＳ２０ｂ）。
【０１３８】
次に、投薬パターン抽出部２４１が、該当する投薬パターンが存在するか否かを判断する（ステップＳ２１）。
該当する投薬パターンが存在しない場合（ステップＳ２１のＮｏ）、ステップＳ１６に移行し、ステップＳ１６以降の処理を繰り返し行う。
【０１３９】
一方、該当する投薬パターンが存在する場合（ステップＳ２１のＹｅｓ）、比較基準投薬日数と、当該患者の同一科における１つ前の投薬パターンの投薬日数とを比較する（ステップＳ２２ａ）。
【０１４０】
そして、比較基準投薬日数が、当該患者の同一科における１つ前の投薬パターンの投薬日数以下か否かを判断する（ステップＳ２３ａ）。
比較基準投薬日数が、当該患者の同一科における１つ前の投薬パターンの投薬日数以下ではない場合（ステップＳ２３ａのＮｏ）、ステップＳ１６に移行し、ステップＳ１６以降の処理を繰り返し行う。
【０１４１】
一方、比較基準投薬日数が、当該患者の同一科における１つ前の投薬パターンの投薬日数以下である場合（ステップＳ２３ａのＹｅｓ）、当該患者の同一科における１つ前の投薬パターンが初診時の投薬パターンであるか否かを判断する（ステップＳ２３ｂ）。
【０１４２】
当該患者の同一科における１つ前の投薬パターンが初診時の投薬パターンではない場合（ステップＳ２３ｂのＮｏ）、１つ前の投薬パターンの投薬日数を、比較基準投薬日数にセットする（ステップＳ２３ｃ）。その後、ステップ２０ｂに移行し、ステップＳ２０ｂ以降の処理を繰り返し行う。
【０１４３】
一方、当該患者の同一科における１つ前の投薬パターンが初診時の投薬パターンである場合（ステップＳ２３ｂのＹｅｓ）、その投薬パターンをパターン抽出ベースＤＢ２４２に格納する（ステップＳ２４）。その後、ステップＳ１６に移行し、ステップＳ１６以降の処理を繰り返し行う。
【０１４４】
以上で、第２の投薬パターン表示処理の説明を終了する。
この第２の投薬パターン表示処理によれば、再診時の投薬パターンが複数ある場合に、最初の再診時の投薬パターンだけを抽出して表示することができる。
【０１４５】
なお、クライアント装置２０が行った処理が、複数の装置によって分散処理されるようにしてもよい。例えば、他の装置が、投薬パターンを抽出し、パターン抽出ベースＤＢ２４２に格納しておき、クライアント装置２０が、その投薬パターンを用いてモニタ２０４ａに表示するようにしてもよい。
【０１４６】
また、本実施の形態では、投薬歴管理テーブル１３３ａに設定された診療区分に基づいて、初診か再診かの判断を行ったが、初診か否かの判断は、これに限定されない。例えば、患者の、ある投薬パターンに対するそれ以前の投薬パターンが存在しなければ、その投薬パターンは初診時の投薬パターンであると判断するようにしてもよい。
【０１４７】
また、本実施の形態では、再診時においても初診時の投薬パターンと同等のものであるとみなされる投薬パターンと、その初診時の投薬パターンとを表示したが、これに限定されない。例えば、その初診時の投薬パターンは表示せずに、再診時において初診時の投薬パターンと同等のものであるとみなされる投薬パターンのみを表示するようにしてもよい。
【０１４８】
これにより、初診時の投薬パターンの効果がない場合に再診時に初診時であるとみなして処方している場合、その初診時の投薬パターンは参考とならない場合があるため、この投薬パターンを除外することにより、さらに信頼性の高い投薬パターンのみをモニタ１０４ａに表示させることができる。
【０１４９】
以上、本発明のデータ選択支援プログラム、データ選択支援装置およびデータ選択支援方法を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【０１５０】
また、本発明は、前述した実施の形態のうちの、任意の２以上の構成（特徴）を組み合わせたものであってもよい。
なお、前述した実施の形態では、医師が、救急患者を診察する場合を例に電子カルテシステム１００の各機能を説明したが、本発明はこれに限らず、例えば、内科の医師が外科の初期処置を行う場合等、他科の患者を診察する場合等にも適用することができる。これにより、専門外の他科の患者を診察せざるを得ない場合に、初期処置時の投薬パターンとあわせて、再診時の投薬パターンをも参照することが可能となる。
【０１５１】
なお、上記の処理機能は、コンピュータによって実現することができる。その場合、クライアント装置２０が有する機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等が挙げられる。磁気記録装置としては、例えば、ハードディスク装置（ＨＤＤ）、フレキシブルディスク（ＦＤ）、磁気テープ等が挙げられる。光ディスクとしては、例えば、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）等が挙げられる。光磁気記録媒体としては、例えば、ＭＯ（Magneto-Optical disk）等が挙げられる。
【０１５２】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１５３】
データ選択支援プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【０１５４】
以上の実施の形態に関し、さらに以下の付記を開示する。
【符号の説明】
【０１５５】
１  コンピュータ
２  入力受付手段
３  抽出手段
４  表示手段
５  データベース
１０、３０、４０  サーバ装置
１１  データ送受信部
１２  制御部
１３  電子カルテ処理用データ格納部
２０  クライアント装置
２１  入力受付部
２２  インタフェース部
２３  アプリケーション格納部
２４  アプリケーション実行部
６０  投薬オーダ指示画面
６１  患者ＩＤ表示部
６２  患者氏名表示部
６３  投薬オーダ伝票選択部
６４  終了ボタン
６５  検索部
６５ａ  薬剤検索部
１００  電子カルテシステム
１３１  医師ＤＢ
１３１ａ  医師管理テーブル
１３２  患者ＤＢ
１３２ａ  患者管理テーブル
１３３  投薬歴ＤＢ
１３３ａ  投薬歴管理テーブル
１３４  薬品マスタ
１３５  電子カルテＤＢ
２４１  投薬パターン抽出部
２４２  パターン抽出ベースＤＢ
２４２ａ  データテーブル
２４３  投薬パターン圧縮処理部
２４４  投薬パターン表示処理部
２４５  データ送信部
６３１  ボタン
６３２  処方日表示部
６３３  診療科表示部
６５１  薬剤タブ
６５１ａ  薬品検索タブ
６５１ｂ  薬効検索タブ
６５１ｃ  頻用薬検索タブ
６５１ｄ  薬品検索画面
６５１ｅ  薬品名入力部
６５１ｆ  検索ボタン
６５１ｇ  検索結果表示部
６５１ｈ  投薬パターン表示画面
６５２  用法タブ
６５３  コメントタブ
６５４  煎じ薬タブ
【図１】
2010176351.tif 000003
【図２】
2010176351.tif 000004
【図３】
2010176351.tif 000005
【図４】
2010176351.tif 000006
【図５】
2010176351.tif 000007
【図６】
2010176351.tif 000008
【図７】
2010176351.tif 000009
【図８】
2010176351.tif 000010
【図９】
2010176351.tif 000011
【図１０】
2010176351.tif 000012
【図１１】
2010176351.tif 000013
【図１２】
2010176351.tif 000014
【図１３】
2010176351.tif 000015
【図１４】
2010176351.tif 000016
【図１５】
2010176351.tif 000017
【図１６】
2010176351.tif 000018
【図１７】
2010176351.tif 000019
【図１８】
2010176351.tif 000020
【図１９】
2010176351.tif 000021